(57)【特許請求の範囲】
【請求項１】
折り畳み可能な椅子にして：
座面を形成する可撓性の座面用シート状部材と；
背もたれ面を形成する可撓性の背もたれ用シート状部材と；
中間で相互に回動可能に連結された一対の斜材からなるＸ字状のフレームにして、椅子の前部、後部および二つの側部のそれぞれに配置される四つのＸ字状フレームと、互いに隣接する前記Ｘ字状フレームの前記斜材の上端部どうしを相互に回動可能に連結する四つの上部連結手段と、互いに隣接する前記Ｘ字状フレームの前記斜材の下端部どうしを相互に回動可能に連結する四つの下部連結手段と、を備え、前記座面用シート状部材を支持する支持脚構造と；
椅子の後部における前記下部連結手段から椅子の後部における前記上部連結手段を貫通して上方に延びる二本の支柱にして、該上部連結手段がそれに沿ってスライド運動可能な支柱と、該支柱に隣接してこれとほぼ平行に延び、且つ、椅子の後部における前記上部連結手段の上方位置および下方位置にて前記支柱に取り付けられている補助柱と、を備え、前記背もたれ用シート状部材を支持する後部柱構造と；
椅子の二つの側部にそれぞれ配置される肘掛け部材にして、その前端部が、前記支持脚構造に対して回動可能に連結され、その後端部が、前記補助柱に取り付けたブロックに支持されている肘掛け部材と；
を備え：
前記ブロックは前記補助柱の長手方向に沿った固定位置にて該補助柱に対して回動可能とされており、前記ブロックと前記肘掛け部材とは相互にスライド移動可能に連結されており、椅子を前後左右方向に折り畳む際に、前記肘掛け部材がその前端部を中心に後方へと回動するとともに前記ブロックに対してスライド移動して該肘掛け部材の後端部が下方へと移動するようになされている：
折り畳み可能な椅子。
【請求項２】
請求項１に記載の折り畳み可能な椅子において、
椅子の前部における前記下部連結手段の下方に前輪が取り付けられ、椅子の後部における前記下部連結手段の下方に後輪が取り付けられていることを特徴とする、椅子。
【請求項３】
請求項２に記載の折り畳み可能な椅子において、
前記前輪のそれぞれが、椅子の前部における前記下部連結手段を越えて延びる前記Ｘ字状フレームの前記脚の先端に取り付けられていることを特徴とする、椅子。
【請求項４】
請求項２または３に記載の折り畳み可能な椅子において、
前記前輪のそれぞれが、互いに間隔をおかれて並設された一対の車輪部材からなり、椅子を前後左右方向に降りたむ際に前記一対の車輪部材間に前記後輪の一部が入り込むようになされていることを特徴とする、椅子。
【請求項５】
請求項２ないし４のいずれかに記載の折り畳み可能な椅子において、
前記後輪の車軸が、椅子の後部における前記下部連結手段の真下から後方にオフセットされており、該車軸を支持するフレームに取り付けられた後輪ストッパ操作用のレバーが前記支持脚構造の下方領域から外れた後方領域に位置していることを特徴とする、椅子。
【請求項６】
請求項２ないし５のいずれかに記載の折り畳み可能な椅子において、
椅子を前後左右方向に折り畳んだときに前記前輪および前記後輪によって自立可能であることを特徴とする、椅子。
【請求項７】
請求項１ないし６のいずれかに記載の折り畳み可能な椅子において、
前記肘掛け部材の前記後端部に、第１の係止部材が設けられており、前記後部柱構造の上部に、第２の係止部材が設けられており、前記後部柱構造の下部に、第３の係止部材が設けられており、椅子を展開したときには前記第１の係止部材と前記第２の係止部材とを相互係止することにより椅子が不用意に折り畳まれることを防止可能であり、椅子を折り畳んだときには前記第１の係止部材と前記第３の係止部材とを相互係止することにより椅子が不用意に展開することを防止可能となされていることを特徴とする、椅子。
【請求項８】
請求項７に記載の折り畳み可能な椅子において、
前記第１の係止部材が、前記肘掛け部材の前記後端部に回動可能に取り付けられたフック部材であり、前記第２および第３の係止部材が、それぞれ前記後部柱構造の上部および下部に取り付けられ且つ前記フック部材と係止可能なピン部材であることを特徴とする、椅子。
【請求項９】
請求項７または８に記載の折り畳み可能な椅子において、
前記第２の係止部材が、前記補助柱に取り付けられており、前記第３の係止部材が、前記支柱に取り付けられていることを特徴とする、椅子。
【請求項１０】
折り畳み可能な椅子にして：
座面を形成する可撓性の座面用シート状部材と；
背もたれ面を形成する可撓性の背もたれ用シート状部材と；
中間で相互に回動可能に連結された一対の斜材からなるＸ字状のフレームにして、椅子の前部、後部および二つの側部のそれぞれに配置される四つのＸ字状フレームと、互いに隣接する前記Ｘ字状フレームの前記斜材の上端部どうしを相互に回動可能に連結する四つの上部連結手段と、互いに隣接する前記Ｘ字状フレームの前記斜材の下端部どうしを相互に回動可能に連結する四つの下部連結手段と、を備え、前記座面用シート状部材を支持する支持脚構造と；
椅子の後部における前記下部連結手段から椅子の後部における前記上部連結手段を貫通して上方に延びる二本の支柱にして、該上部連結手段がそれに沿ってスライド運動可能な支柱と、該支柱に隣接してこれとほぼ平行に延び、且つ、椅子の後部における前記上部連結手段の上方位置および下方位置にて前記支柱に取り付けられている補助柱と、を備え、前記背もたれ用シート状部材を支持する後部柱構造と；
椅子の二つの側部にそれぞれ配置される肘掛け部材にして、その前端部が、前記支持脚構造に対して回動可能に連結され、その後端部が、前記補助柱に取り付けたブロックに支持されている肘掛け部材と；
を備え：
前記ブロックは前記補助柱に対してその長手方向に沿ってスライド移動可能に取り付けられており、前記ブロックと前記肘掛け部材の前記後端部とは相互に回動可能に連結されており、椅子を前後左右方向に折り畳む際に、前記肘掛け部材がその前端部を中心に後方へと回動するとともに前記ブロックが前記補助柱に対してスライド移動して該肘掛け部材の後端部が下方へと移動するようになされている：
折り畳み可能な椅子。
【請求項１１】
請求項１０に記載の折り畳み可能な椅子において、
椅子の前部における前記下部連結手段の下方に前輪が取り付けられ、椅子の後部における前記下部連結手段の下方に後輪が取り付けられていることを特徴とする、椅子。
【請求項１２】
請求項１１に記載の折り畳み可能な椅子において、
前記前輪のそれぞれが、椅子の前部における前記下部連結手段を越えて延びる前記Ｘ字状フレームの前記脚の先端に取り付けられていることを特徴とする、椅子。
【請求項１３】
請求項１１または１２に記載の折り畳み可能な椅子において、
前記前輪のそれぞれが、互いに間隔をおかれて並設された一対の車輪部材からなり、椅子を前後左右方向に降りたむ際に前記一対の車輪部材間に前記後輪の一部が入り込むようになされていることを特徴とする、椅子。
【請求項１４】
請求項１１ないし１３のいずれかに記載の折り畳み可能な椅子において、
前記後輪の車軸が、椅子の後部における前記下部連結手段の真下から後方にオフセットされており、該車軸を支持するフレームに取り付けられた後輪ストッパ操作用のレバーが前記支持脚構造の下方領域から外れた後方領域に位置していることを特徴とする、椅子。
【請求項１５】
請求項１１ないし１４のいずれかに記載の折り畳み可能な椅子において、
椅子を前後左右方向に折り畳んだときに前記前輪および前記後輪によって自立可能であることを特徴とする、椅子。
【請求項１６】
請求項１０ないし１５のいずれかに記載の折り畳み可能な椅子において、
前記肘掛け部材の前記後端部に、第１の係止部材が設けられており、前記後部柱構造の上部に、第２の係止部材が設けられており、前記後部柱構造の下部に、第３の係止部材が設けられており、椅子を展開したときには前記第１の係止部材と前記第２の係止部材とを相互係止することにより椅子が不用意に折り畳まれることを防止可能であり、椅子を折り畳んだときには前記第１の係止部材と前記第３の係止部材とを相互係止することにより椅子が不用意に展開することを防止可能となされていることを特徴とする、椅子。
【請求項１７】
請求項１６に記載の折り畳み可能な椅子において、
前記第１の係止部材が、前記肘掛け部材の前記後端部に回動可能に取り付けられたフック部材であり、前記第２および第３の係止部材が、それぞれ前記後部柱構造の上部および下部に取り付けられ且つ前記フック部材と係止可能なピン部材であることを特徴とする、椅子。
【請求項１８】
請求項１６または１７に記載の折り畳み可能な椅子において、
前記第２の係止部材が、前記補助柱に取り付けられており、前記第３の係止部材が、前記支柱に取り付けられていることを特徴とする、椅子。
【発明の詳細な説明】
【０００１】
【発明の属する技術分野】
本発明は折り畳み可能な椅子に関する。本発明の椅子には、室内および室外用のデッキ・チェア、介護用の簡易型車椅子、幼児または小児用車椅子、ベビーカーなども含まれる。
【０００２】
【従来の技術】
中間で相互に回動可能に連結された一対の斜材からなるＸ字状フレームを椅子の前後左右四つの面に配置して支持脚構造とし、その上に可撓性の座面用シート状部材を支持させた、折り畳み可能な椅子は知られている（米国特許第３，１３６，２７２号明細書）。この米国特許明細書には、可撓性の背もたれ用シート状部材を備えた、折り畳み可能な椅子も開示されている。
【０００３】
さらに上記米国特許明細書には、可撓性材料からなる肘掛け部材を備えた、折り畳み可能な椅子も開示されている。椅子を前後左右に折り畳む際、実際には幅広のベルトである可撓性の肘掛け部材は柔軟に曲がり、折り畳み作業の邪魔になることはない。
【０００４】
【発明が解決しようとする課題】
しかしながら、肘掛け部材としては可撓性のものよりも剛性のものの方が好ましいことは言うまでもない。ただし、肘掛け部材は椅子の前後方向に延びる部材だけに、椅子を前後左右に折り畳む際に邪魔になる。肘掛け部材を中途で曲げられるようにすることも考えられるが、肘掛け部材は使用時に手や腕が触れる箇所でもあるので、できれば中途に関節部分を設けることは避けたい。
【０００５】
そこで本発明の課題は、中途に関節部分のない剛性の肘掛け部材を備えていても、前後左右に容易に折り畳むことのできる椅子を提供することにある。
【０００６】
【課題を解決するための手段】
本発明によれば、
折り畳み可能な椅子にして：
座面を形成する可撓性の座面用シート状部材と；
背もたれ面を形成する可撓性の背もたれ用シート状部材と；
中間で相互に回動可能に連結された一対の斜材からなるＸ字状のフレームにして、椅子の前部、後部および二つの側部のそれぞれに配置される四つのＸ字状フレームと、互いに隣接する前記Ｘ字状フレームの前記斜材の上端部どうしを相互に回動可能に連結する四つの上部連結手段と、互いに隣接する前記Ｘ字状フレームの前記斜材の下端部どうしを相互に回動可能に連結する四つの下部連結手段と、を備え、前記座面用シート状部材を支持する支持脚構造と；
椅子の後部における前記下部連結手段から椅子の後部における前記上部連結手段を貫通して上方に延びる二本の支柱にして、該上部連結手段がそれに沿ってスライド運動可能な支柱と、該支柱に隣接してこれとほぼ平行に延び、且つ、椅子の後部における前記上部連結手段の上方位置および下方位置にて前記支柱に取り付けられている補助柱と、を備え、前記背もたれ用シート状部材を支持する後部柱構造と；
椅子の二つの側部にそれぞれ配置される肘掛け部材にして、その前端部が、前記支持脚構造に対して回動可能に連結され、その後端部が、前記補助柱に取り付けたブロックに支持されている肘掛け部材と；
を備え：
前記ブロックは前記補助柱の長手方向に沿った固定位置にて該補助柱に対して回動可能とされており、前記ブロックと前記肘掛け部材とは相互にスライド移動可能に連結されており、椅子を前後左右方向に折り畳む際に、前記肘掛け部材がその前端部を中心に後方へと回動するとともに前記ブロックに対してスライド移動して該肘掛け部材の後端部が下方へと移動するようになされている：
折り畳み可能な椅子が提供される。
【０００７】
また、本発明によれば、
折り畳み可能な椅子にして：
座面を形成する可撓性の座面用シート状部材と；
背もたれ面を形成する可撓性の背もたれ用シート状部材と；
中間で相互に回動可能に連結された一対の斜材からなるＸ字状のフレームにして、椅子の前部、後部および二つの側部のそれぞれに配置される四つのＸ字状フレームと、互いに隣接する前記Ｘ字状フレームの前記斜材の上端部どうしを相互に回動可能に連結する四つの上部連結手段と、互いに隣接する前記Ｘ字状フレームの前記斜材の下端部どうしを相互に回動可能に連結する四つの下部連結手段と、を備え、前記座面用シート状部材を支持する支持脚構造と；
椅子の後部における前記下部連結手段から椅子の後部における前記上部連結手段を貫通して上方に延びる二本の支柱にして、該上部連結手段がそれに沿ってスライド運動可能な支柱と、該支柱に隣接してこれとほぼ平行に延び、且つ、椅子の後部における前記上部連結手段の上方位置および下方位置にて前記支柱に取り付けられている補助柱と、を備え、前記背もたれ用シート状部材を支持する後部柱構造と；
椅子の二つの側部にそれぞれ配置される肘掛け部材にして、その前端部が、前記支持脚構造に対して回動可能に連結され、その後端部が、前記補助柱に取り付けたブロックに支持されている肘掛け部材と；
を備え：
前記ブロックは前記補助柱に対してその長手方向に沿ってスライド移動可能に取り付けられており、前記ブロックと前記肘掛け部材の前記後端部とは相互に回動可能に連結されており、椅子を前後左右方向に折り畳む際に、前記肘掛け部材がその前端部を中心に後方へと回動するとともに前記ブロックが前記補助柱に対してスライド移動して該肘掛け部材の後端部が下方へと移動するようになされている：
折り畳み可能な椅子も提供される。
【０００８】
以下は、上記２種類の折り畳み可能な椅子に共通の実施の態様である。
上記の折り畳み可能な椅子において、
椅子の前部における前記下部連結手段の下方に前輪が取り付けられ、椅子の後部における前記下部連結手段の下方に後輪が取り付けられていることを特徴とする、椅子。
【０００９】
前輪および後輪付きの折り畳み可能な椅子において、
前記前輪のそれぞれが、椅子の前部における前記下部連結手段を越えて延びる前記Ｘ字状フレームの前記脚の先端に取り付けられていることを特徴とする、椅子。
【００１０】
前輪および後輪付きの折り畳み可能な椅子において、
前記前輪のそれぞれが、互いに間隔をおかれて並設された一対の車輪部材からなり、椅子を前後左右方向に降りたむ際に前記一対の車輪部材間に前記後輪の一部が入り込むようになされていることを特徴とする、椅子。
【００１１】
前輪および後輪付きの折り畳み可能な椅子において、
前記後輪の車軸が、椅子の後部における前記下部連結手段の真下から後方にオフセットされており、該車軸を支持するフレームに取り付けられた後輪ストッパ操作用のレバーが前記支持脚構造の下方領域から外れた後方領域に位置していることを特徴とする、椅子。
【００１２】
前輪および後輪付きの折り畳み可能な椅子において、
椅子を前後左右方向に折り畳んだときに前記前輪および前記後輪によって自立可能であることを特徴とする、椅子。
【００１３】
上記の折り畳み可能な椅子において、
前記肘掛け部材の前記後端部に、第１の係止部材が設けられており、前記後部柱構造の上部に、第２の係止部材が設けられており、前記後部柱構造の下部に、第３の係止部材が設けられており、椅子を展開したときには前記第１の係止部材と前記第２の係止部材とを相互係止することにより椅子が不用意に折り畳まれることを防止可能であり、椅子を折り畳んだときには前記第１の係止部材と前記第３の係止部材とを相互係止することにより椅子が不用意に展開することを防止可能となされていることを特徴とする、椅子。
【００１４】
上記の折り畳み可能な椅子において、
前記第１の係止部材が、前記肘掛け部材の前記後端部に回動可能に取り付けられたフック部材であり、前記第２および第３の係止部材が、それぞれ前記後部柱構造の上部および下部に取り付けられ且つ前記フック部材と係止可能なピン部材であることを特徴とする、椅子。
【００１５】
上記の折り畳み可能な椅子において、
前記第２の係止部材が、前記補助柱に取り付けられており、前記第３の係止部材が、前記支柱に取り付けられていることを特徴とする、椅子。
【００１６】
【発明の実施の形態】
図１は本発明による折り畳み可能な椅子の第１の実施例を示す側面図であり、図２は、同じ実施例を前方やや上方から見た斜視図である。図１においては座面用シート状部材および背もたれ用シート状部材を図示省略してある。図１および図２に示すように、椅子は、該椅子の前部、後部および二つの側部のそれぞれに配置された四つのＸ字状フレーム１を備えている。各Ｘ字状フレーム１は、中間で相互に回動可能にピン２で連結された一対の斜材３からなっている。斜材３は、金属パイプで形成することができる。互いに隣接するＸ字状フレーム１の斜材３の上端部どうしは、上部連結手段４によって相互に回動可能に連結されている。一方、同じく互いに隣接するＸ字状フレーム１の斜材３の下端部どうしは、下部連結手段５によって相互に回動可能に連結されている。四つのＸ字状フレーム１と、四つの上部連結手段４と、四つの下部連結手段５とは、椅子の座面を形成する可撓性の座面用シート状部材６（図２）を支持する支持脚構造を形成する。
【００１７】
椅子の後部における二つの下部連結手段５のそれぞれからは、上部連結手段４を貫通して支柱７が上方に延びている。上部連結手段４は、支柱７に対して上下方向にスライド運動可能である。この支柱７には、補助柱８が取り付けられている。補助柱８は、支持柱７に隣接して該支柱７とほぼ平行に延びている。補助柱８は、椅子の後部における上部連結手段４の上方位置および下方位置にて取付部材９によって支柱７に取り付けられている。したがって、上方連結手段４は支柱７に対して、上下の取り付け部材９間の距離にわたってスライド移動可能である。支柱７と補助柱８とは後部柱構造を形成する。支柱７および補助柱８は金属パイプで形成することができる。後部柱構造は、椅子の背もたれ面を形成する背もたれ用シート状部材１０を支持する。この実施例では、背もたれ用シート状部材１０は、座面用シート状部材６と一体に形成されており、背もたれ用シート状部材１０は、支柱７によって支持されている。
【００１８】
椅子の二つの側部には、肘掛け部材１１がそれぞれ配置されている。肘掛け部材１１は、中間に関節部分を含まない剛性の部材、例えば金属パイプで作ることができる。肘掛け部材１１の前端部１２は下方に曲げられている。一方、椅子の側部におけるＸ字状フレーム１の斜材３の前方上端部１３は、上部連結手段４を越えて上方に延び、肘掛け部材１１の前端部１２と回動可能に連結されている。肘掛け部材１１の後端部１４は、補助柱８に取り付けられたブロック１５を貫通して延び、該ブロック１５によって支持されている。
【００１９】
補助柱８付近の構造を斜め後ろから見たところを図３に示し、背後から見たところを図４に示す。ブロック１５は、補助柱８に対してピン１６（図４）によって取り付けられている。ブロック１５は、補助柱の長手方向に沿った位置をピン１６によって固定されているが、ピン１６の回りを回動可能である。肘掛け部材１１の後端部１４は、ブロック１５に形成された孔１７（図４）を貫通して延びている。肘掛け部材１１は、ブロック１５の孔１７内をスライド移動可能であり、肘掛け部材１１が傾動するとき、ブロック１５もピン１６の回りを傾動可能である。このように、ブロック１５と肘掛け部材１１とは、相互にスライド移動可能に連結されている関係にある。
【００２０】
椅子を前後左右方向に折り畳む際、肘掛け部材１１は、椅子の側部におけるＸ字状フレーム１の斜材３の前方上端部１３に連結された前端部１２を中心に後方へと回動する。それと同時に、肘掛け部材１１はブロック１５に対してスライド移動する。折り畳み動作が進行するにつれて、上部連結手段４は上昇し、肘掛け部材１１の前端部１２も持ち上げられる。また、椅子の前後の距離が短縮されるにつれて、ブロック１５を貫通する肘掛け部材１１の長さも長くなり、かつ、肘掛け部材１１の後方への傾動角度も大きくなる。その結果、肘掛け部材１１の後端部１４は図５に示すように下方へと移動する。
【００２１】
図６ないし図１０は、本発明の第２の実施例を示す図である。図２が前方やや上方から見た斜視図であるのに対して図７は斜め後方から見た斜視図である点を除き、図６ないし図１０は第１実施例の図１ないし図５に対応している。したがって、同様の部材には同じ参照符号を付してある。第２の実施例が第１の実施例と異なる点は、補助柱８ａに対するブロック１５ａの取り付け方と、ブロック１５ａと肘掛け部材１１との連結の仕方にある。したがって、これらの点だけ説明する。第２の実施例では、ブロック１５ａは補助柱８ａに対してその長手方向に沿ってスライド移動可能に取り付けられている。また、ブロック１５ａと肘掛け部材１１の後端部１４とは、相互に回動可能に連結されている。椅子を前後左右方向に折り畳んでいくと、肘掛け部材１１は前端部１２を中心に後方へと回動し、前端部１２は持ち上げられる。一方、肘掛け部材１１の後端部１４は、ブロック１５ａとともに補助柱８ａに沿って下方へと移動する。折り畳まれた椅子は、最終的には図１０に示す状態となる。図１０から分かるように、この第２の実施例では、ブロック１５ａが移動する距離を長くとる必要があるので、補助柱８ａが第１実施例における補助柱８よりも長くなる。
【００２２】
図１１ないし図１５は、図１ないし図５に示した第１の実施例に車輪をつけた第３の実施例を示す。この実施例は、介護用の簡易型車椅子、幼児または小児用車椅子、ベビーカーなどのような、車輪付きで移動できる椅子に適用可能である。図６ないし図１０に示した第２の実施例に同様に車輪を付けることも可能である。かかる第４の実施例は図示しないけれども、もちろん本発明の範囲に属する。
【００２３】
図１１ないし図１５に示した第３の実施例では、第１の実施例および第２の実施例における部材と同様の部材には同じ参照符号を用いている。椅子の前部における下部連結手段５の下方には前輪２０が取り付けられている。一方、椅子の後部における下部連結手段５の下方には後輪２１が取り付けられている。それぞれの前輪２０は、椅子の前部における下部連結手段５を越えて延びるＸ字状フレーム１の脚３（この実施例では椅子の側部におけるＸ字状フレームの脚）の先端３ａに取り付けられている。先端３ａは、下部連結手段５を越えて真っ直ぐに延びたのち、垂直方向下方に曲がって延びている。前輪２０はキャスターとして取り付けられ、方向を変えることができる。符号２２は足乗せ台を示す。
【００２４】
図１１および図１２から明らかなように、後輪２１の車軸２３は、椅子の後部における下部連結手段５の真下から後方にオフセットされている。これは、椅子を押す人が後輪ストッパ操作用のレバー２４を足の爪先で操作しやすいようにするためである。レバー２４は、後輪２１の車軸２３を支持するフレーム２５にピン２６によって回動可能に取り付けられている。レバー２４の内端２７は鉤状になっており、レバー２４が実線位置にあるとき、後輪２１の内側面に立設した複数のスタッド２８間にけた内端２７が入り込み、後輪２１の回転を阻止する。レバー２４を一点鎖線の位置に倒すと、先端２７はスタッド２８間から外れ、後輪２１は回転可能になる。後輪２１の車軸２３が下部連結手段５の真下から後方にオフセットされ、レバー２４が支持脚構造の下方領域から外れた後方領域に位置づけられることにより、椅子を押す人の足の爪先でレバー２４は容易に操作することができる。
【００２５】
第３の実施例でも第１の実施例と同様、ブロックは補助柱の長手方向に沿った位置を固定されており、ブロックと肘掛け部材とは相互にスライド移動可能に連結されている。しかしながら、第３実施例では、ブロックと肘掛け部材形態が第１実施例と異なる。図１３に示すように、肘掛け部材１１ｂは底壁に長手方向スロット３０を有する矩形パイプである。これに係合するブロック１５ｂは、補助柱８にピン３１によって回動可能に取り付けられたブラケット３２と、このブラケット３２に設けられた一対の回転可能なローラ３３とからなる。ローラ３３の回転軸を支持する直立支持軸３５が肘掛け部材１１ｂのスロット３０内にスライド移動可能に嵌合し、ローラ３３がスロット３０の両側の底壁内面上を転動可能である。このようにして、ブロック１５ｂと肘掛け部材１１ｂとは相互にスライド移動可能に連結される。
【００２６】
図１４に示すように、前輪２０は、互いに間隔をおかれて並設された一対の車輪部材２０ａから構成することができる。この場合、図１５に示すように椅子を折り畳んだ場合、一対の車輪部材２０ａ間に後輪２１の一部が入り込むように配置構成すると、折り畳み時の前後寸法をよりコンパクトにすることができる。
【００２７】
また、折り畳んだときの椅子の重心から地上に垂下した点が、前輪２０および後輪２１の設地点で囲まれる領域内の中心近くにくるように設計することにより、椅子は折り畳んだ状態で自立することができる。
【００２８】
車輪を取り付けた椅子および車輪を取り付けていない椅子のいずれにおいても、展開したときに不用意に折り畳まれないようにすること、また、折り畳んだときに不用意に展開しないようにすることが望ましい。そのために係止部材を設けた実施例を図１６および図１７に示す。この実施例は、図１１に示す車輪付きの椅子に係止部材を設けた例であるが、図１や図６に示す車輪を付けない椅子にも同様に係止部材を設けることができる。
【００２９】
係止部材は三つ設けられる。肘掛け部材１１ｂの後端部１４ｂに設けられるのが第１の係止部材４０、後部柱構造の上部にて補助柱８に設けられるのが第２の係止部材４１、そして後部柱構造の下部にて支柱７に設けられるのが第３の係止部材４２である。
【００３０】
図１８は第１の係止部材４０を肘掛け部材１１ｂに取り付けた状態を示す図であり、図１９は取り付け前の分解図である。図２０は、補助柱８に取り付けられた第２の係止部材４１と第１の係止部材４０との関係を示す図であり、非係止状態を示す。図２１は、支柱７に取り付けられた第３の係止部材４２と第１の係止部材４０との関係を示す図であり、非係止状態を示す。図２２は、第１の係止部材４０と第３の係止部材４２とが相互係止した状態を示す図である。
【００３１】
第１の係止部材４０は、図１９、図２０および図２１に詳細に示されるように、凹所４３を有するフック部材の形状をしている。図１９に示すように、第１の係止部材４０は、取り付け孔４４を貫通する取り付けピン４５によって、肘掛け部材１１ｂの後端部１４ｂに回動可能に取り付けられている。第１の係止部材４０は、左右両方の肘掛け部材１１ｂの後端部１４ｂのそれぞれ内側に配置される。
【００３２】
図２０に示すように、第２の係止部材４１は、左右両方の補助柱８の内側に取り付けられたピン部材の形状をしている。椅子の内側へ向けて横方向に延びる第２の係止部材４１は、椅子を展開したときに第１の係止部材４０に隣接する位置に設けられる。
【００３３】
図２１に示すように、第３の係止部材４２は、左右両方の支柱７の内側に取り付けられたピン部材の形状をしている。椅子の内側へ向けて横方向に延びる第３の係止部材４２は、椅子を折り畳んだときに第１の係止部材４０に隣接する位置に設けられる。第１の係止部材４０の側部には、指でつまんで回動しやすいよう、タブ４６が設けられている。
【００３４】
椅子が展開している図２０の状態において、タブ４６をつまんで第１の係止部材４０を上方かつ前方に（図２０において反時計回り）回動させると、第１の係止部材４０の凹所４３をピン状の第２の係止部材４１の外周に嵌合させることができる。同時に、第１の係止部材４０に形成されている湾曲部４７（図１８および図１９参照）が補助柱８の外周に嵌合する。このようにして第１の係止部材４０と第２の係止部材４１とを相互係止することにより、肘掛け部材１１ｂの後方への動きを阻止し、椅子が不用意に折り畳まれてしまうことを避けることができる。意図的に椅子を折り畳みたい時には、タブ４６をつまんで第１の係止部材４０を回動させ、凹所４３と第２の係止部材４１の外周との嵌合状態を解除すればよい。
【００３５】
図２１の状態のとき、すなわち椅子が折り畳まれた状態にあるとき、タブ４６をつまんで第１の係止部材４０を上方かつ前方に回動させると、第１の係止部材４０の凹所４３をピン状の第３の係止部材４２の外周に嵌合させることができる。同時に、第１の係止部材４０に形成されている湾曲部４７が支柱７の外周に嵌合する（図２２参照）。このようにして、第１の係止部材４０と第３の係止部材４２とを相互係止することにより、肘掛け部材１１ｂの上方への動きを阻止し、椅子が不用意に展開してしまうことを避けることができる。意図的に椅子を展開させたい時には、タブ４６をつまんで第１の係止部材４０を図２２の状態から後方かつ下方に回動させ、凹所４３と第３の係止部材４２の外周との嵌合状態を解除すればよい。
【００３６】
【発明の効果】
本発明によれば、中途に関節部分のない剛性の肘掛け部材を備えていても、前後左右に容易に折り畳むことのできる椅子が提供される。
【図面の簡単な説明】
【図１】  本発明による折り畳み可能な椅子の第１の実施例を示す側面図。座面用シート状部材および背もたれ用シート状部材は図示省略してある。
【図２】  本発明による折り畳み可能な椅子の第１の実施例を前方やや上方から見た斜視図。
【図３】  第１の実施例の補助柱付近の構造を斜め後ろから見た拡大断片図。
【図４】  第１の実施例の補助柱付近の構造を背後から見た拡大断片図。
【図５】  第１の実施例を折り畳んだ状態を示す側面図。座面用シート状部材および背もたれ用シート状部材は図示省略してある。
【図６】  本発明による折り畳み可能な椅子の第２の実施例を示す側面図。
【図７】  本発明による折り畳み可能な椅子の第２の実施例を斜め後方から見た斜視図。
【図８】  第２の実施例の補助柱付近の構造を斜め後ろから見た拡大断片図。
【図９】  第２の実施例の補助柱付近の構造を背後から見た拡大断片図。
【図１０】  第２の実施例を折り畳んだ状態を示す側面図。座面用シート状部材および背もたれ用シート状部材は図示省略してある。
【図１１】  第１の実施例とほぼ同様の構造の椅子の下部に車輪を取り付けた、本発明の第３の実施例を示す側面図。
【図１２】  第３の実施例の後輪付近の構造を示す拡大断片図。
【図１３】  第３の実施例の肘掛け部材とブロックとの構造を示す断片分解斜視図。
【図１４】  第３の実施例の椅子を折り畳んだ状態を示す正面図。
【図１５】  第３の実施例の椅子を折り畳んだ状態を示す側面図。
【図１６】  車輪付きの椅子に係止部材を設けた一実施例を示す側面図であり、椅子は展開状態にある。
【図１７】  車輪付きの椅子に係止部材を設けた一実施例を示す側面図であり、椅子は折り畳み状態にある。
【図１８】  第１の係止部材を肘掛け部材に取り付けた状態を示す斜視図。図２０は、補助柱８に取り付けられた第２の係止部材４１と第１の係止部材４０との関係を示す図であり、非係止状態を示す。図２１は、支柱７に取り付けられた第３の係止部材４２と第１の係止部材４０との関係を示す図であり、非係止状態を示す。図２２は、第１の係止部材４０と第３の係止部材４２とが相互係止した状態を示す図
【図１９】  第１の係止部材を肘掛け部材とともに示す分解斜視図。
【図２０】  補助柱に取り付けられた第２の係止部材を示す斜視図。椅子は展開状態にある。
【図２１】  支柱に取り付けられた第３の係止部材を示す斜視図。椅子は折り畳み状態にある。
【図２２】  第１の係止部材と第３の係止部材とが相互係止している状態を示す斜視図。椅子は折り畳み状態にある。
【図１】
0003875094.tif 000002
【図２】
0003875094.tif 000003
【図３】
0003875094.tif 000004
【図４】
0003875094.tif 000005
【図５】
0003875094.tif 000006
【図６】
0003875094.tif 000007
【図７】
0003875094.tif 000008
【図８】
0003875094.tif 000009
【図９】
0003875094.tif 000010
【図１０】
0003875094.tif 000011
【図１１】
0003875094.tif 000012
【図１２】
0003875094.tif 000013
【図１３】
0003875094.tif 000014
【図１４】
0003875094.tif 000015
【図１５】
0003875094.tif 000016
【図１６】
0003875094.tif 000017
【図１７】
0003875094.tif 000018
【図１８】
0003875094.tif 000019
【図１９】
0003875094.tif 000020
【図２０】
0003875094.tif 000021
【図２１】
0003875094.tif 000022
【図２２】
0003875094.tif 000023